(57)【特許請求の範囲】
【請求項１】
梁に合わせて背側上部が切除された切除部を有するキャビネット本体と、
前記キャビネット本体に取り付けられ、前記キャビネットの切除部を覆うカバーと、を
備え、
前記キャビネット本体は、
前方側よりも後方側の高さの方が低くなるように構成された左側板および右側板と、
相対する前記左側板と右側板の下端部を繋ぐ底板と、
相対する前記左側板と右側板の前方側の上端部繋ぐ前方側天板と、
相対する前記左側板と右側板の下方側の後端部を繋ぐ下方側背板と、
前記下方側背板とキャビネット本体を取り付ける取付壁面との間の隙間を埋めると共に
、相対する前記左側板と右側板の下端側を接続する横桟と、を有し、
前記カバーは、
相対する前記左側板と右側板の間の後方側の上端部を覆う後方側天板と、
相対する前記左側板と右側板の間の上方側の後端部を覆う上方側背板と、を有するもの
であって、
前記下方側背板と前記左側板、右側板、もしくは後方側天板とによって形成されるコー
ナー部に、前記キャビネット本体を取り付ける取付壁面に向かってネジを挿入することが
できる第一の挿入孔を有する、前記キャビネット本体を支持するための支持具を設けると
共に、前記第一の挿入孔へのネジの挿入方向における前記下方側背板の裏側には、前記下方側背板と前記取付壁面との間の隙間を埋めるスペーサーを設け、
さらに、前記支持具は、前記左側板、右側板、もしくは後方側天板の、前記下方側背板よりも前方側に固定されており、
前記支持具は前記コーナー部に沿うように屈曲した屈曲部材であり、
相対する前記左側板と右側板の後方側内面には、夫々前記カバーを前記キャビネット本体へ取り付けるためのカバー用ネジを鉛直方向から挿入することができるカバー用ネジ受け部材が設けられており、
前記後方側天板は、前記カバー用ネジ受け部材と当接した状態で、鉛直方向から前記カバー用ネジによって前記カバー用ネジ受け部材を介して前記キャビネット本体へ取り付けられていることを特徴とするウォールキャビネット。
【請求項２】
前記屈曲部材は、前記屈曲部材を貫通するネジによって、前記屈曲部材が固定される前
記左側板、右側板、もしくは後方側天板に固定されるものであり、
さらに、前記屈曲部材が固定される前記左側板、右側板、もしくは後方側天板に差し込ま
れた前記ネジが抜け落ちてしまうことを防止するネジ脱落防止手段を設けたことを特徴と
する請求項１に記載のウォールキャビネット。
【請求項３】
前記ネジ脱落防止手段は、その外形が前記ネジが貫通する前記屈曲部材に設けられた第
二の挿入孔よりも大きく構成され、前記屈曲部材を挟むようにして前記ネジと螺合するナ
ットと、前記屈曲部材とによって構成されていることを特徴とする請求項２に記載のウォ
ールキャビネット。
【発明の詳細な説明】
【技術分野】
【０００１】
本発明は、キッチン用梁対応ウォールキャビネットに関する。
【背景技術】
【０００２】
近年、リフォームの需要が高まっており、システムキッチンのリフォームも盛んに行われている。しかし、リフォームによりキッチンのウォールキャビネットを新たなものに取り換える場合、キッチンでは、ウォールキャビネットやキッチンフード等が横並びに天井近傍の壁面に設置されている現場が多く、梁の有無はこれらを壁面から外さないと確認できない場合がある。このように、事前に梁の有無が確認できないため、梁があるにも拘わらず、誤って梁のない建築躯体に適した標準の（梁非対応型の）ウォールキャビネットが注文されてしまう事態が発生している。
【０００３】
したがって、こうした状況に対応するために、キッチン用のウォールキャビネットにおいては、例えば、特許文献１に記載のように、梁のない建築躯体に適したウォールキャビネットを梁の有無に応じて現場で加工できるようにすることが望ましい。具体的には、現場にて梁に合わせて箱状のウォールキャビネットの背側上部を切除し、その後、切除部を覆う梁型のカバーを取り付けることで、梁を避けて高い位置に設置できるようにしたウォールキャビネット（梁対応型のウォールキャビネット）へと変更できるようにすることが望ましい。
【先行技術文献】
【特許文献】
【０００４】
【特許文献１】特開２００１−１５２６５７号公報
【発明の概要】
【発明が解決しようとする課題】
【０００５】
ここで、通常のキッチン用ウォールキャビネットは、剛性を確保するために、左右の側板や底板、天板は背板に比べて強度の高い板（例えば、背板に比べて厚みが厚いなど）で構成されており、左右の側板は、底板や天板により連結され、さらに背板裏側で左右の側板の上端側と下端側をそれぞれ横桟で接続し、横桟をネジで壁面に固定することでウォールキャビネットが壁面に固定されるよう構成されている。なお、横桟は、背板と壁面との間の隙間を埋めるスペーサーの役割も果たしている。こうした従来のウォールキャビネットに対し、特許文献１に記載されているような、梁に合わせたウォールキャビネットの切除作業を行った場合、ウォールキャビネットを支持している横桟の内、上端側の横桟を切り離すことになる。したがって、この状態ではウォールキャビネットを壁面に強固に固定することができないため、新たに横桟を追加する必要がある。
【０００６】
なお、リフォームの場合、事前に現場の梁の構造を把握することが難しく、梁に対してねじでウォールキャビネットを固定しようとした場合に、ウォールキャビネットを梁に強固に固定できない可能性があるため、壁面に固定できるよう、新たな横桟は切除部よりも下方かつ可能な限り上方に配置することが望ましい。
【０００７】
ここで、すでに組み上げられているウォールキャビネットの左右の側板に対して横桟を接続するためには、側板の外側から横桟までネジをねじ込んで連結する方法が考えられる。しかし、ネジをねじ込むのは背板よりも後方側の側板、すなわち側板の後方側端部ぎりぎりのところであるため、側板を破損させてしまう恐れがある。
【０００８】
本発明は、上記課題を解決するためになされたものであり、梁に合わせて一部を切除したウォールキャビネットを、側板等を破損させることなく、壁面に強固に固定できるウォールキャビネットを提供することを目的とする。
【課題を解決するための手段】
【０００９】
上記課題を解決するために、本発明に係るウォールキャビネットは、梁に合わせて背側
上部が切除された切除部を有するキャビネット本体と、前記キャビネット本体に取り付け
られ、前記キャビネットの切除部を覆うカバーと、を備え、前記キャビネット本体は、前
方側よりも後方側の高さの方が低くなるように構成された左側板および右側板と、相対す
る前記左側板と右側板の下端部を繋ぐ底板と、相対する前記左側板と右側板の前方側の上
端部繋ぐ前方側天板と、相対する前記左側板と右側板の下方側の後端部を繋ぐ下方側背板
と、前記下方側背板とキャビネット本体を取り付ける取付壁面との間の隙間を埋めると共
に、相対する前記左側板と右側板の下端側を接続する横桟と、を有し、前記カバーは、相
対する前記左側板と右側板の間の後方側の上端部を覆う後方側天板と、相対する前記左側板と右側板の間の上方側の後端部を覆う上方側背板と、を有するものであって、前記背板
と前記左側板、右側板、もしくは後方側天板とによって形成されるコーナー部に、前記キ
ャビネット本体を取り付ける取付壁面に向かってネジを挿入することができる第一の挿入
孔を有する、前記キャビネット本体を支持するための支持具を設けると共に、前記第一の
挿入孔へのネジの挿入方向における前記背板の裏側には、前記背板と前記取付壁面との間
の隙間を埋めるスペーサーを設け、さらに、前記支持具は、前記左側板、右側板、もしくは後方側天板の、前記下方側背板よりも前方側に固定されており、前記支持具は前記コーナー部に沿うように屈曲した屈曲部材であり、相対する前記左側板と右側板の後方側内面には、夫々前記カバーを前記キャビネット本体へ取り付けるためのカバー用ネジを鉛直方向から挿入することができるカバー用ネジ受け部材が設けられており、前記後方側天板は、前記カバー用ネジ受け部材と当接した状態で、鉛直方向から前記カバー用ネジによって前記カバー用ネジ受け部材を介して前記キャビネット本体へ取り付けられていることを特徴とする。
【００１０】
本発明に係るウォールキャビネットにおいては、キャビネット本体を支持する支持具は
、背板よりも前方側の左側板、右側板、もしくは後方側天板に固定するよう構成している
ため、梁のある現場でウォールキャビネットを切除した後に、支持具を新たに取り付ける
場合であっても、側板や後方側天板の後方側端部から離れた位置に支持具を取り付けるこ
とができる。したがって、キャビネット本体の側板等が破損することを防止できる。また
、支持具は、キャビネット本体の剛性を確保するため、背板よりも比較的強度の高い板が
使用される側板や後方側天板に固定されている。したがって、梁に合わせて切除したキャ
ビネット本体を、このように比較的強度の高い板に固定された支持具や横桟を介して壁面
に固定するため、強固に取付壁面に固定することができる。
したがって、本発明では、梁に合わせて切除したキャビネット本体を、側板等を破損させ
ることなく、取付壁面に強固に固定することができる。
さらに、支持具が左側板、右側板、もしくは後方側天板の、背板よりも前方側に設けられ、かつ、左側板、右側板、もしくは後方側天板の、背板よりも前方側に固定された場合、キャビネット本体の収納空間内に支持具が配置されるため、支持具によって収納空間が大きく占領されてしまうと、収納空間が狭くなってしまう。本発明では、支持具はコーナー部に沿うように屈曲させた屈曲部材であるため、コーナー部の空間を占領してしまうことがない。したがって、収納空間の低減を抑えつつも、側板等を破損させることなく、キャビネット本体を取付壁面に強固に固定することができる。
【００１３】
また、本発明に係るウォールキャビネットでは、前記屈曲部材は、前記屈曲部材を貫通するネジによって、前記屈曲部材が固定される左側板、右側板、もしくは後方側天板に固定されるものであり、
さらに、前記屈曲部材が固定される左側板、右側板、もしくは後方側天板に差し込まれた前記ネジが抜け落ちてしまうことを防止するネジ脱落防止手段を設けたことも好ましい。
【００１４】
この好ましい態様では、屈曲部材が固定される左側板、右側板、もしくは後方側天板に差し込まれたネジが抜け落ちてしまうことを防止するネジ脱落防止手段を設けたため、ネジがそれらの板から抜け落ちてしまいキャビネット本体を屈曲部材によって支持できなくなることを防止できる。したがって、より安定的にキャビネット本体を取付壁面に固定することができる。
【００１５】
また、本発明に係るウォールキャビネットでは、前記ネジ脱落防止手段は、その外形が前記ネジが貫通する前記屈曲部材に設けられた第二の挿入孔よりも大きく構成され、前記屈曲部材を挟むようにして前記ネジと螺合するナットと、前記屈曲部材とによって構成されていることも好ましい。
【００１６】
この好ましい態様では、屈曲部材を挟むようにしてネジと螺号するナットは、その外形が、ネジが貫通する第二の挿入孔よりも大きいため、ネジが屈曲部材が固定される左側板、右側板、もしくは後方側天板から抜ける方向に移動しようとしても、屈曲部材の第二の挿入孔よりも外形の大きな鬼目ナットが屈曲部材に引っ掛かり、ストッパーの役割を果たすため、ネジが抜け落ちることを防止できる。このように簡単な構成でネジの脱落を防止することができる。
【発明の効果】
【００１７】
本発明のウォールキャビネットよれば、梁に合わせて一部を切除したキャビネット本体を、側板等を破損させることなく、取付壁面に強固に固定することができる。
【図面の簡単な説明】
【００１８】
【図１】本発明の実施形態に係る標準のウォールキャビネットの斜視図。
【図２】図１に示した標準のウォールキャビネットの背側上部切除後の斜視図。
【図３】２つの塞ぎ板を接続する方法を示す図。
【図４】２つの塞ぎ板を接続する方法を示す図。
【図５】標準のウォールキャビネットに受け木が固定された状態を示す斜視図。
【図６】カバーを取り付ける際の様子を示す標準のウォールキャビネットの斜視図。
【図７】カバーが取付けられた状態の標準のウォールキャビネットを示す斜視図。
【図８】Ｌ字状アングルの固定位置を模式的に示す側面図。
【図９】Ｌ字状アングルの固定手順を示す斜視図。
【図１０】塞ぎ板を表示していない状態の標準のウォールキャビネットの後方側の上面図である
【図１１】横桟をウォールキャビネットに仮固定する様子を示す斜視図。
【図１２】梁対応型に変更したウォールキャビネットを壁面に固定した状態を示す側断面図。
【図１３】壁面に固定した状態の梁対応型ウォールキャビネットのＬ字状アングルの固定状態を示す平面視の断面図。
【図１４】標準のウォールキャビネットを壁面に固定した状態を示す側面図。
【００１９】
以下、添付図面を参照しながら本発明の実施の形態について説明する。説明の理解を容易にするため、各図面において同一の構成要素に対しては可能な限り同一の符号を付して、重複する説明は省略する。
【００２０】
図１は、従来から知られている標準のウォールキャビネット３を背面側から見た斜視図である。ここで、「標準のウォールキャビネット」とは、梁のない建築躯体に取り付けられるウォールキャビネットのことを指す。
【００２１】
標準のウォールキャビネット３は、キッチン用のウォールキャビネットであり、周知の構造を有するものである。具体的には、左側板５、右側板７、天板９、底板１１を備えており、これらの板は、それぞれ図示しないダボによって接続されている。背板１３は、左側板５、右側板７、天板９、底板１１のそれぞれの内面に形成されている溝１４に嵌め込まれることによってウォールキャビネット３の背側に配置されている。なお、標準のウォールキャビネット３を構成する板は全て、合板、パーチクルボード、ＭＤＦ等の木質材料でからなるものである。左側板５、右側板７、天板９、底板１１は標準のウォールキャビネット３の剛性を確保するために、高い強度を有するよう板の厚みが比較的厚く、一方、背板１３の厚みはそれらの板よりも薄い。
【００２２】
図示はしていないが、標準のウォールキャビネット３の前方側は標準のウォールキャビネット３内部の収納空間に連通する開口が形成されている。背板の裏側には２つの横桟１５、１７が配置されており、横桟１５および横桟１７はそれぞれ上下方向に離して配置されると共に、図示しないダボによって左右の側板５、７を接続（ダボ組）するように構成されている。
【００２３】
標準のウォールキャビネット３は、通常、梁のない建築躯体に取り付けられるものであり、横桟１５、１７を介して建築躯体の壁面にネジ固定される。図１４は標準のウォールキャビネット３を壁面Ｗに固定した状態を示す側面図であり、このように壁面Ｗに固定された状態では、壁面Ｗにねじ４３で固定されている横桟１５、１７によって、ウォールキャビネット３は支持される。
【００２４】
標準のウォールキャビネット３は通常は梁のない建築躯体に取り付けられるものであるが、システムキッチンでは、リフォームによってウォールキャビネットを取り換える際に、取り換え前のウォールキャビネットやキッチンフードの存在によって、梁の有無を把握できない場合があり、梁があるにも拘わらす誤って標準のウォールキャビネット３を購入してしまうといった問題が生じている。標準のウォールキャビネット３を梁のある建築躯体に取付ける場合、梁よりも下方に標準のウォールキャビネット３を配置せざるを得ず、キッチンの作業空間や調理空間が非常狭くなってしまうため、標準のウォールキャビネット３を取り付けられない。しかし、誤って標準のウォールキャビネット３が購入され、現場に納品された場合であっても、以下に説明する方法によって、標準のウォールキャビネット３を、壁面の高い位置に取付可能な、本発明の実施形態に係る梁対応型のウォールキャビネットに変更することができる。
【００２５】
まず、標準のウォールキャビネット３に建築躯体の梁Ｈが収まる空間を形成するために、梁Ｈの大きさに合わせて、標準のウォールキャビネット３の背側上部を切除する。図１の標準のウォールキャビネット３に記載されている一点鎖線は、切除される部分を示すものである。
【００２６】
図２は、切除後の標準のウォールキャビネット３（キャビネット本体４）の斜視図である。この切除によって、左側板５、右側板７、天板９、および背板１３の一部が切除された状態となり、切除部Ｋが形成される。切除後、標準のウォールキャビネット３の切除面を塞ぐカバー２３を作成する。具体的には、鉛直方向に延びる切除面と水平方向に延びる切除面を塞ぐための板を、切除面の大きさに合わせて、大きな板からそれぞれ切り取り、切り取った板同士を接続することカバー２３を作成する。
【００２７】
図３および図４は、水平方向に延びる切除面を塞ぐ塞ぎ板９ｂ（後方側天板）と鉛直方向に延びる切除面を塞ぐ塞ぎ板１３ａ（上方側背板）の接続方法を示す図である。図３に示すように、２枚の塞ぎ板９ｂ、１３ａは、まずダボ２１によって接続される。具体的には塞ぎ板９ｂに取り付けられたダボ２１を塞ぎ板１３ａに穿設されたダボ穴１９に嵌め込むことにより接続される。
【００２８】
続いて、図４に示すように、これらの塞ぎ板９ｂ、１３ａをくの字状のアングル２５でより強固に連結して、カバー２３を作成する。
【００２９】
次に、図５に示すように、このようにして作成したカバー２３を標準のウォールキャビネット３に取り付けられるようにするために、標準のウォールキャビネット３の左側板５、右側板７のそれぞれの内面に受け木２７を固定する。受け木２７は直方体状に形成されており、図５に示すように、左側板５、右側板７のそれぞれに前後に２つ並べて配置する。
【００３０】
続いて、カバー２３を標準のウォールキャビネット３に取り付ける。図６はカバー２３を取り付ける際の様子を示す斜視図であり、図７はカバー２３が取付られた状態の標準のウォールキャビネット３を示す斜視図である。
【００３１】
図６に示すように、カバー２３は標準のウォールキャビネット３の前方側の開口から挿入される。そして、挿入されたカバー２３をカバー２３と標準のウォールキャビネット３との間に隙間ができない所定の位置に配置し、塞ぎ板９ｂを４つの受け木２７に下から押し当てながら、それぞれの受け木２７の上面２７ａからカバー用ネジ２９ａをねじ込むことにより、カバー２３をネジ固定する。加えて、切除後の天板９ａ（前方側天板）の上面から、塞ぎ板１３ａにカバー用ネジ２９ｂをねじ込んで、カバー２３を標準のウォールキャビネット３に取り付ける。
【００３２】
続いて、標準のウォールキャビネット３を建築躯体の壁面にネジ固定する際のネジ止めのベースとなる支持具であるＬ字状アングル３１（屈曲部材）を標準のウォールキャビネット３に固定する。図８は、Ｌ字状アングル３１の固定位置を模式的に示した側面図である。
【００３３】
Ｌ字状アングル３１は、標準のウォールキャビネット３内の左右に一つずつ固定されるものであり、一方は、図８に示すように、背板１３ｂおよび右側板７によって形成されるコーナー部Ｃに沿うように配置および固定される。他方は、背板１３ｂおよび左側板５によって形成されるコーナー部に沿うように配置および固定される。
【００３４】
このＬ字状アングル３１の固定方法についてより詳しく説明する。図９は、このＬ字状アングル３１の固定手順を示す斜視図である。なお、図９は、便宜上、塞ぎ板９ｂや背板１３ｂ等は表示していない図である。
【００３５】
Ｌ字状アングル３１には全部で４つのネジ挿入孔３１ａ、３１ｂが穿設されており、Ｌ字状アングル３１の側板に沿う部分である側板側部３１１と、背板１３ｂに沿う部分である背板側部３１２のそれぞれに２つずつ穿設されている。まず、図９（Ａ）に示すように、Ｌ字状アングル３１を固定する右側板７に、側板側部３１１の２つのネジ挿入孔３１ａに対応する位置に、鬼目ナット３３をネジ込む鬼目ナット挿入用穴３５をあけ、この鬼目ナット挿入用穴３５に鬼目ナット３３をねじ込み、鬼目ナット３３を右側板７に埋没固定する。次に、図９（Ｂ）に示すように、鬼目ナット３３と２つのネジ挿入孔３１ａが合う位置にＬ字状アングル３１を配置し、Ｌ字状アングル３１をネジ３７で右側板７に対してねじ固定する。このようにして、Ｌ字状アングル３１は右側板に固定される。なお、左側板５へのＬ字状アングル３１の固定も同様の方法で行われる。
【００３６】
図１０は、塞ぎ板９ｂを表示していない状態の標準のウォールキャビネット３の後方側の上面図である。Ｌ字状アングル３１の左側板５および右側板７への固定が完了したら、左右に固定したＬ字状アングル３１の背板側部３１２に穿設された全てのネジ挿入孔３１ｂに、収納空間側からドリルを挿入し、図１０に示すように、背板側部３１２の後方側に隣接する背板１３ｂに壁面固定用ネジ挿入孔３９（ネジ通過孔）を穿設する。
【００３７】
そして、図１１に示すように、これら全ての壁面固定用ネジ挿入孔３９を覆う位置で両面テープにより横桟４１を背板１３ｂに仮固定する。これにより、標準のウォールキャビネット３の梁対応型のウォールキャビネットへの変更作業が完了する。
【００３８】
図１２は、このようにして梁対応型に変更したウォールキャビネット３を壁面に固定した状態を示す側断面図である。梁対応型ウォールキャビネット３は、その背側上部が切除されているため、梁Ｈと干渉することなく、高い位置で壁面Ｗに固定される。なお、壁面Ｗへの固定は、ネジ４３を、収納空間側からをＬ字状アングル３１のネジ挿入孔３１ｂに挿入し、背板１３ｂおよび横桟４１を貫通させて、壁面にねじ固定される。
【００３９】
図１３は、壁面Ｗに固定した状態の梁対応型ウォールキャビネット３のＬ字状アングル３１の固定状態を示す平面視の断面図である。図１３に示すように、本実施形態において、鬼目ナット３３の外形は、Ｌ字状アングル３１の側板側部３１１のネジ挿入孔３１ａの径よりも大きいため、摩耗等によって鬼目ナット３３の左側板５や右側板７への固定が緩み、側板固定用ネジ３７が左側板５や右側板７から抜け落ちる方向に移動しようとしても、この側板固定用ネジ３７と螺合している鬼目ナット３３が、壁面Ｗに固定されているＬ字状アングル３１に当接し、側板固定用ネジ３７が抜け落ちることがなく、長期に亘って安定的に、梁対応型のウォールキャビネット３を支持することができる。
【００４０】
以上のようにして、標準のキャビネット３から図１３に示すような梁対応型に変更したウォールキャビネット３が、本発明の実施形態に係るウォールキャビネットである。
【符号の説明】
【００４１】
３：ウォールキャビネット
４：キャビネット本体
５：左側板
７：右側板
９：天板
９ａ：（前方側）天板
９ｂ：塞ぎ板（後方側天板）
１１：底板
１３：背板
１３ａ：塞ぎ板（上方側背板）
１３ｂ：（下方側）背板
１４：溝
１５：横桟
１７：横桟
１９：ダボ穴
２１：ダボ
２３：カバー
２５：アングル
２７：受け木
２７ａ：上面
２９ａ：カバー用ネジ
２９ｂ：カバー用ネジ
３１：Ｌ字状アングル（支持具、屈曲部材）
３１ａ：側板固定用ネジ挿入孔（第二の挿入孔）
３１ｂ：壁面固定用ネジ挿入孔（第一の挿入孔）
３１１：側板側部
３１２：背板側部
３３：鬼目ナット（ナット）
３５：鬼目ナット挿入用穴
３７：側板固定用ネジ
３９：壁面固定用ネジ挿入孔
４１：横桟（スペーサー）
４３：壁固定用ネジ
Ｃ：コーナー部
Ｈ：梁
Ｋ：切除部
Ｗ：壁面（取付壁面）
【図１】
0006459138.tif 000002
【図２】
0006459138.tif 000003
【図３】
0006459138.tif 000004
【図４】
0006459138.tif 000005
【図５】
0006459138.tif 000006
【図６】
0006459138.tif 000007
【図７】
0006459138.tif 000008
【図８】
0006459138.tif 000009
【図９】
0006459138.tif 000010
【図１０】
0006459138.tif 000011
【図１１】
0006459138.tif 000012
【図１２】
0006459138.tif 000013
【図１３】
0006459138.tif 000014
【図１４】
0006459138.tif 000015